(57)【要約】【課題】音声信号出力装置に設けることが可能な出力端子の数には制約があり、出力端子の数を低減することが課題となっていた。【解決手段】実施形態の音声信号出力装置は音声出力を設定可能に表示する設定メニューを出力する設定メニュー出力部を備える。また、前記設定メニューから設定された音声出力に応じ、前記音声出力に係る回路のスイッチを切り替え可能な切り替え部を備える。また、前記回路のスイッチが切り替えられた場合に、切り替えられた回路に対応する前記音声出力に係る端子接続を前記設定メニューの表示に関連付けてガイド表示するガイド表示部を備える。【選択図】  図４
2012160915.tif 000002
【特許請求の範囲】
【請求項１】
音声出力を設定可能に表示する設定メニューを出力する設定メニュー出力部と、
前記設定メニューから設定された音声出力に応じ、前記音声出力に係る回路のスイッチを切り替え可能な切り替え部と、
前記回路のスイッチが切り替えられた場合に、切り替えられた回路に対応する前記音声出力に係る端子接続を前記設定メニューの表示に関連付けてガイド表示するガイド表示部を備える音声信号出力装置。
【請求項２】
前記設定メニューを表示する表示部を備える請求項１に記載の音声信号出力装置。
【請求項３】
前記設定メニューに表示された音声出力に関連する色に合わせた色で、ガイドする接続端子をハイライト表示する請求項１に記載の音声信号出力装置。
【請求項４】
前記ガイドする接続端子が複数の場合は、それぞれの接続端子を識別可能に表示する請求項３に記載の音声信号出力装置。
【請求項５】
前記接続端子のガイドに係る信号経路を前記表示部に表示する請求項２に記載の音声信号出力装置。
【請求項６】
前記接続端子のガイドに係るスピーカの接続を前記表示部に表示する請求項２に記載の音声信号出力装置。
【請求項７】
前記接続端子のガイドに係る信号経路の表示をアニメーションで表示する請求項２に記載の音声信号出力装置。
【請求項８】
音声出力を設定可能に表示する設定メニューを出力するステップと、
前記設定メニューから設定された音声出力に応じ、前記音声出力に係る回路のスイッチを切り替え可能に構成するステップと、
前記回路のスイッチが切り替えられた場合に、切り替えられた回路に対応する前記音声出力に係る端子接続を前記設定メニューの表示に関連付けてガイド表示するステップを備える音声信号出力方法。
【発明の詳細な説明】
【技術分野】
【０００１】
本発明の実施形態は、音声信号出力装置、音声信号出力方法に関する。
【背景技術】
【０００２】
近年、例えば、５．１チャンネル等の音響システムに対応した音声を出力可能な、テレビやＤＶＤ等の、音声信号出力装置が普及している。
例えば、５．１チャンネルは、６つのスピーカによって聴く人を取り囲むように音を再生する音響システム構成のことである。
５．１チャンネルにおいては、２０Ｈｚ〜２０ｋＨｚの帯域のステレオスピーカーを、前方正面、前方左右、後方左右にそれぞれ配置する（５チャンネル）。
また、中低音を強化するために１２０Ｈｚ以下の低域サブウーファーを配置する。このサブウーファーは帯域幅が制限されているので、０．１チャンネルとカウントされ、合計で５．１チャンネルとなる。
【０００３】
５．１チャンネルサラウンドのスピーカは、それぞれ独立した音を再生している。そして、周囲を囲むようにして音を再生することによって音の立体感が増し、臨場感にあふれた音響効果を楽しむことができる。
【０００４】
そして、これらの音響システムに対応した音声出力を音声信号出力装置が行なう場合は、例えば、上記５．１チャンネルの出力数に相当する数の出力端子が必要である。
【０００５】
しかし、例えば、スペース等の都合から、音声信号出力装置に設けることが可能な出力端子の数には制約がある。
このため、出力端子の数を低減することが課題となっていた。
【先行技術文献】
【特許文献】
【０００６】
【特許文献１】特開２００９−１０５７８８号公報
【発明の概要】
【発明が解決しようとする課題】
【０００７】
音声信号出力装置に設けることが可能な出力端子の数には制約があり、出力端子の数を低減することが課題となっていた。
【課題を解決するための手段】
【０００８】
実施形態の音声信号出力装置は音声出力を設定可能に表示する設定メニューを出力する設定メニュー出力部を備える。
また、前記設定メニューから設定された音声出力に応じ、前記音声出力に係る回路のスイッチを切り替え可能な切り替え部を備える。
また、前記回路のスイッチが切り替えられた場合に、切り替えられた回路に対応する前記音声出力に係る端子接続を前記設定メニューの表示に関連付けてガイド表示するガイド表示部を備える。
【図面の簡単な説明】
【０００９】
【図１】実施形態に係わる音声信号出力装置の構成の一例を示すブロック図。
【図２】実施形態に係わる音声信号出力装置の正面を示す図。
【図３】実施形態に係わる音声信号出力装置の背面および背面に設けられる出力端子部を示す図。
【図４】実施形態に係わる音声信号出力装置において、設定メニューから設定された音声出力に応じ、この音声出力に係る端子接続を設定メニューの表示に関連付けてガイド表示する一例を示す図。
【図５】実施形態に係わる音声信号出力装置において、設定メニューから設定された音声出力に応じ、この音声出力に係る端子接続を設定メニューの表示に関連付けてガイド表示する他の例を示す図。
【図６】実施形態に係わる音声信号出力装置において、設定メニューから設定された音声出力に応じ、この音声出力に係る端子接続を設定メニューの表示に関連付けてガイド表示する他の例を示す図。
【図７】実施形態に係わる音声信号出力装置において、設定メニューから設定された音声出力に応じ、この音声出力に係る端子接続を設定メニューの表示に関連付けてガイド表示する他の例を示す図。
【図８】実施形態に係わる音声信号出力装置において、設定メニューから設定された音声出力に応じ、この音声出力に係る端子接続を設定メニューの表示に関連付けてガイド表示する他の例を示す図。
【図９】実施形態に係わる音声信号出力装置の動作を説明するフローチャート。
【図１０】実施形態に係わる音声信号出力装置における端子接続ガイドの表示例を示す図。
【発明を実施するための形態】
【００１０】
以下、図面を参照し、実施の形態を説明する。
図１は、実施形態に係わる音声信号出力装置の構成の一例を示すブロック図である。
符号１は音声信号出力装置、符号２はアンテナ、符号３はチューナである。また、符号４は信号処理部、符号５は映像処理部、符号６は音声処理部である。
符号７は表示装置、符号８は表示画面（映像表示部）、符号９はスピーカ（内蔵）である。
符号１０はバス、符号１１は制御部、符号１２はＭＰＵ、符号１３はＲＡＭ、符号１４はＲＯＭ、符号１５はフラッシュメモリ、符号１６は記憶部、符号１７は内部記録装置、符号１８は外部インターフェース、符号１９は外部記録機器である。
【００１１】
符号２０は操作受信部、符号２１は操作機器（リモコン）、符号２２は送受信部（ネットワークインターフェース）である。
符号２５は放送局、符号２６はネットワーク、符号２７はサーバ、符号９０は外部スピーカである。
例えば、放送局２５からデジタル放送で映像コンテンツが放送される。放送局２５から放送されたデジタル放送はチューナ３で受信され、選局処理が行われ、デジタル信号の映像コンテンツが信号処理部４に送信される。
【００１２】
信号処理部４で受信されたデジタル信号の映像コンテンツは信号処理が施され、音声処理部６および映像処理部５に送信される。
音声処理部６は信号処理が施された映像コンテンツを受信し、音声処理を施した信号をスピーカ９に送信する。
スピーカ９は音声処理が施された信号を受信し、音声を出力する。
また、映像処理部５は信号処理が施された映像コンテンツを受信し、映像処理を施した信号を表示装置７に送信する。
表示装置７は映像処理が施された信号を受信し、ＬＣＤパネル等で構成される表示画面（映像表示部）８に映像を表示する。
また、この実施の形態においては、映像表示装置（番組再生装置）１は内部記憶装置１７を備え、上記受信された映像コンテンツを記録することが可能である。
また、この実施の形態においては、映像表示装置（番組再生装置）１は上記のようにＵＳＢ接続やＬＡＮ接続される外部記憶機器１９を備えている。上記受信された映像コンテンツはこの外部記憶機器１９に記録することも可能である。
【００１３】
また映像表示装置（番組再生装置）１に対するユーザの操作は、例えばリモコン（リモートコントローラ）２１等の操作機器によって指示される。
これらの処理は、制御部１１に制御される。
また、上記のように、映像表示装置（番組再生装置）１は送受信部（ネットワークインターフェース）２２を介してサーバ２７に接続され、例えばウェッブページを受信してブラウジングすることが可能である。
【００１４】
また、この実施の形態においては、後述するように、音声出力を設定可能に表示する設定メニューを用い、ユーザが所望の音声出力を設定することが可能である。上記外部スピーカ９０は、例えば、この設定メニューによって設定される。
【００１５】
そして、例えば、上記制御部１１に設けられたＭＰＵ１２において、上記設定メニューから設定された音声出力（例えばスピーカ９０）に応じ、音声出力に係る回路のスイッチが、例えばソフトウェアで切り替えられる。この切り替えられた回路情報は、例えば、フラッシュメモリ１５に記憶される。
【００１６】
そして、上記回路のスイッチが切り替えられた場合には、この切り替えられた回路に対応する音声出力に係る端子接続を、後述するように、上記設定メニューの表示に関連付けてガイド表示する。
【００１７】
図２は、実施形態に係わる音声信号出力装置の正面を示す図である。
ユーザは音声信号出力装置の正面に向かってリモコン２１を操作し、所定の入力を行うと、リモコン２１からリモコン信号が出力される。そして、このリモコン信号は、音声信号出力装置１の操作受信部２０で受信される。
【００１８】
例えば、音声信号出力装置１は、このリモコン２１から出力されるリモコン信号によって番組の録画や再生が指示される。また、後述する設定メニューの表示や音声出力に係る端子接続のガイド表示が指示される。
【００１９】
図３は、実施形態に係わる音声信号出力装置の背面および背面に設けられる出力端子部を示す図である。
図３（ａ）は、音声信号出力装置１の背面を示す図である。
この図に示すように、音声信号出力装置１の背面には、出力端子部３０が設けられる。
図３（ｂ）は、音声信号出力装置１の背面に設けられる出力端子部３０を示す図である。
図に示すように、ここでは、出力１、出力２、出力３およびＨＰ／Ｃ（ヘッドホーン／センター）の出力が記されている。
そして、出力１、出力２、出力３はそれぞれ、コンポジット映像出力端子(黄)、Ｌ（左）、Ｒ（右）の出力端子が配置されている。
そして、符号３１は出力１のコンポジット映像出力端子(黄)、符号３２は出力１のＬ（左）出力端子、符号３３は出力１のＲ（右）出力端子として記されている。
また、符号３４は出力２のコンポジット映像出力端子(黄)、符号３５は出力２のＬ（左）出力端子、符号３６は出力２のＲ（右）出力端子として記されている。
また、符号３７は出力３のコンポジット映像出力端子(黄)、符号３８は出力３のＬ（左）出力端子、符号３９は出力３のＲ（右）出力端子として記されている。
また、ＨＰ／Ｃ・Ｌｆｅ（ヘッドホン／センター・サブウーファ）の出力端子４２が配置されている。
しかし、この実施の形態においては、後述するように、設定メニューから設定された音声出力に応じ、音声出力に係る回路のスイッチが切り替えられ、対応する音声出力に係る端子接続がガイド表示される。すなわち、この実施の形態においては、音声出力に係る回路のスイッチが切り替えられるので、上記出力端子３５、３６、３８、３９、４２から出力される音声信号は、上記記された通りとはならない場合がある。
【００２０】
続いて、設定メニューから設定された音声出力に応じ、音声出力に係る回路のスイッチが切り替えられ、対応する音声出力に係る端子接続がガイド表示される例を説明する。
【００２１】
図４は、実施形態に係わる音声信号出力装置において、設定メニューから設定された音声出力に応じ、この音声出力に係る端子接続を設定メニューの表示に関連付けてガイド表示する一例を示す図である。
【００２２】
ここでは、ヘッドホンの出力端子部をハイライト表示し、端子接続をガイドする例を説明する。
図４（ａ）は、実施形態に係わる音声信号出力装置１において、映像表示部８に表示出力される設定メニューを示す図である。
例えば、この設定メニューは、図に示すように、階層構造になっている。
そして、まず、ユーザがリモコン２１を操作し、設定メニュー４０を表示させる。ユーザはこの設定メニュー４０に表示される「音声設定」を選択する。続いて、ユーザは、「音声設定」に含まれる「音声出力チャンネル設定」を選択する。続いて、ユーザは、「音声出力チャンネル設定」に含まれる「ヘッドホン」の「センター／サブウーハ（赤）」５０を選択し、音声出力として設定が完了する。
【００２３】
このとき、「センター／サブウーハ（赤）」５０は赤色で表示されている。
すると、この設定メニュー４０から設定された音声出力（ここでは「センター／サブウーハ（赤）」５０）に応じ、制御部１１によって音声出力に係る回路のスイッチが切り替えられ、対応する音声出力に係る端子接続がガイド表示される。
【００２４】
ここでは、図４（ｂ）に示すＣ／Ｌｆｅ（センター／低域効果音）４２の出力端子が識別可能にハイライト表示される。
すなわち、Ｃ／Ｌｆｅ（センター／低域効果音）４２の出力端子は、上記「センター／サブウーハ（赤）」５０の色に関連する赤色のＬＥＤで発色表示される。
これによって、ユーザは、上記設定メニュー４０で設定した音声出力（「センター／サブウーハ（赤）」５０）に係る端子接続を、上記「センター／サブウーハ（赤）」５０の色に関連する赤色のＬＥＤで発色表示されたＣ／Ｌｆｅ（センター／低域効果音）４２の出力端子に行なうようにガイドされたことがわかる。
【００２５】
図５は、実施形態に係わる音声信号出力装置において、設定メニューから設定された音声出力に応じ、この音声出力に係る端子接続を設定メニューの表示に関連付けてガイド表示する他の例を示す図である。
【００２６】
ここでは、ラインアウト（外部スピーカ９０）の出力端子部３０の端子をハイライト表示し、端子接続をガイドする例を説明する。
ここでも、この設定メニューは、階層構造になっている。
そして、上記と同様に、ユーザがリモコン２１を操作し、設定メニュー４０を表示させる。ユーザはこの設定メニュー４０に表示される「音声設定」を選択する。続いて、ユーザは、「音声設定」に含まれる「音声出力チャンネル設定」を選択する。続いて、ユーザは、「音声出力チャンネル設定」に含まれる「ラインアウト（外部スピーカ）」の「サラウンドＬ（黄）／サラウンドＲ（青）」５１を選択し、音声出力としての設定が完了する。
【００２７】
このとき、「サラウンドＬ（黄）／サラウンドＲ（青）」５１の「サラウンドＬ」は黄色、「サラウンドＲ」は青色で表示されている。
すると、この設定メニュー４０から設定された音声出力（ここでは「サラウンドＬ（黄）／サラウンドＲ（青）」５１）に応じ、上記と同様に、制御部１１によって音声出力に係る回路のスイッチが切り替えられ、対応する音声出力に係る端子接続がガイド表示される。
【００２８】
ここでは、図５（ｂ）に示す出力端子３５、出力端子３６が識別可能にハイライト表示される。
このとき、出力端子３５は、上記「サラウンドＬ」の黄色に関連する黄色のＬＥＤで発色表示される。すなわち、出力端子３５は、上記「サラウンドＬ」に関連する黄色のＬＥＤで発色表示される。また、出力端子３６は、上記「サラウンドＲ」に関連する青色のＬＥＤで発色表示され、両者は識別可能に表示される。
【００２９】
これによって、ユーザは、上記設定メニュー４０で設定した音声出力（「サラウンドＬ（黄）／サラウンドＲ（青）」５１）に係る端子接続を、上記「サラウンドＬ」の黄色に関連する黄色のＬＥＤの発色表示および、上記「サラウンドＲ」の青色に関連する青色のＬＥＤで発色表示によって、出力端子３５には「サラウンドＬ（黄）に係る端子を接続し、出力端子３６には「サラウンドＲ（青）に係る端子を接続するように、ガイドされたことがわかる。
【００３０】
図６は、実施形態に係わる音声信号出力装置において、設定メニューから設定された音声出力に応じ、この音声出力に係る端子接続を設定メニューの表示に関連付けてガイド表示する他の例を示す図である。
【００３１】
ここでは、ラインアウト（外部スピーカ）の出力端子部のハイライトと共に、表示画面に端子接続を表示することによって端子接続をガイドする例を説明する。
ここでも、この設定メニュー４０は、階層構造になっている。
そして、上記と同様に、ユーザがリモコン２１を操作し、設定メニュー４０を表示させる。ここでは、ユーザによって「ラインアウト１（外部スピーカ）」に含まれる「サラウンドＬ（黄）／サラウンドＲ（青）」５１が選択され、音声出力としての設定が完了する。
【００３２】
このとき、「サラウンドＬ（黄）／サラウンドＲ（青）」５１の「サラウンドＬ」は黄色、「サラウンドＲ」は青色で表示されている。
ここでも、上記と同様に、回路のスイッチが切り替えられる。
この実施の形態においては、上記に加え、上記スイッチが切り替えられた回路に係る信号経路を示す端子接続ガイド６０が映像表示部８に表示される。
ここでは、上記図５（ｂ）で説明した出力端子３５、出力端子３６を示す図が、映像表示部８に識別可能にハイライト表示される。
ここでも、出力端子３５の図は、上記「サラウンドＬ」に関連する黄色で表示される。また、出力端子３６の図は、上記「サラウンドＲ」に関連する青色で表示され、両者は識別可能に表示される。
【００３３】
これによって、ユーザは、映像表示部８における端子接続ガイド６０の表示によっても、出力端子３５には「サラウンドＬ（黄）に係る端子を接続し、出力端子３６には「サラウンドＲ（青）に係る端子を接続するように、ガイドされたことがわかる。
【００３４】
図７は、実施形態に係わる音声信号出力装置において、設定メニューから設定された音声出力に応じ、この音声出力に係る端子接続を設定メニューの表示に関連付けてガイド表示する他の例を示す図である。
【００３５】
ここでは、ラインアウト（外部スピーカ）の出力端子部３０のハイライトと共に、表示画面に接続されるスピーカ（例えば５．１チャンネル）を表示することによって端子接続をガイドする例を説明する。
【００３６】
ここでも、この設定メニュー４０は、階層構造になっている。
そして、上記と同様に、ユーザがリモコン２１を操作し、設定メニュー４０を表示させる。ここでは、ユーザによって「ラインアウト１（外部スピーカ）」に含まれる「サラウンドＬ（黄）／サラウンドＲ（青）」５１が選択され、音声出力としての設定が完了する。
【００３７】
このとき、「サラウンドＬ（黄）／サラウンドＲ（青）」５１の「サラウンドＬ」は黄色、「サラウンドＲ」は青色で表示されている。
ここでも、上記と同様に、回路のスイッチが切り替えられる。
この実施の形態においては、上記に加え、映像表示部８に、音声信号出力装置１に接続されるスピーカを表示する端子接続ガイド６１が表示される。
ここでは、上記図５（ｂ）で説明した出力端子３５、出力端子３６を示す図が、映像表示部８に識別可能にハイライト表示される。
ここでは、スピーカＬ７１は、上記「サラウンドＬ」に関連する黄色で表示される。また、スピーカＲ７３は、上記「サラウンドＲ」に関連する青色で表示され、両者は識別可能に表示される。
【００３８】
また、この実施の形態においては、スピーカＬ７１、スピーカＲ７３から音声が出力されることを表示することも可能である。例えば、図７に示す音符マークのような識別マークを表示することも可能である。
【００３９】
また、スピーカＬ７１、スピーカＲ７３に対応する実際のスピーカから実際に音声を出力するように構成することも可能である。
これによって、ユーザは、映像表示部８における端子接続ガイド６１の表示によって、スピーカＬ７１に「サラウンドＬ（黄）」に係る出力端子３５が接続され、スピーカＲ７３に「サラウンドＲ（青）」に係る出力端子３６が接続されたことがわかる。
【００４０】
図８は、実施形態に係わる音声信号出力装置において、設定メニューから設定された音声出力に応じ、この音声出力に係る端子接続を設定メニューの表示に関連付けてガイド表示する他の例を示す図である。
【００４１】
図８（ａ）は、ラインアウト（外部スピーカ９０）の出力端子部３０のハイライトと共に、映像表示部８に信号経路をアニメーション表示することによってユーザに端子接続をガイドする例を説明する。
【００４２】
ここでも、設定メニュー４０は、階層構造になっている。
そして、上記と同様に、ユーザがリモコン２１を操作し、設定メニュー４０を表示させる。ここでは、ユーザによって「ラインアウト１（外部スピーカ）」に含まれる「ステレオＬ（黄）／ステレオＲ（青）」５１が選択され、音声出力としての設定が完了する。
【００４３】
このとき、「ステレオＬ（黄）／ステレオＲ（青）」５１の「ステレオＬ」は黄色、「ステレオＲ」は青色で表示されている。
ここでも、上記と同様に、回路のスイッチが切り替えられる。
この実施の形態においては、上記に加え、信号経路をアニメーション表示する端子接続ガイド６２が映像表示部８に表示される。
ここでは、符号８１を付すように、「ステレオＬＲ」が上記図５（ｂ）で説明した出力端子３５、出力端子３６と接続されることを示す図が、映像表示部８に識別可能にハイライト表示される。
【００４４】
ここでは、出力端子３５は、上記「ステレオＬ」に関連する黄色１０２で表示される。また、出力端子３６は、上記「ステレオＲ」に関連する青色１０３で表示され、両者は識別可能に表示される。
【００４５】
これによって、ユーザは、映像表示部８における端子接続ガイド６１の表示によって、上記信号経路が表示され、上記出力端子の接続がガイドされる。
図８（ｂ）は、ヘッドホンの出力端子部３０のハイライトと共に、上記と同様に、映像表示部８に信号経路をアニメーション表示することによってユーザに端子接続をガイドする例を説明する。
【００４６】
ここでも、設定メニュー４０は、階層構造になっている。
そして、上記と同様に、ユーザがリモコン２１を操作し、設定メニュー４０を表示させる。ここでは、ユーザによって「ヘッドホン」に含まれる「センター／サブウーハ（赤）」５０が選択され、音声出力としての設定が完了する。
【００４７】
このとき、「センター／サブウーハ（赤）」５０は赤色で表示されている。
ここでも、上記と同様に、回路のスイッチが切り替えられる。
この実施の形態においても、信号経路をアニメーション表示する端子接続ガイド６３が映像表示部８に表示される。
ここでは、符号８０を付すように、「Ｃ／Ｌｆｅ」が上記説明した出力端子４２と接続されることを示す図が、映像表示部８に識別可能にハイライト表示される。
ここでは、出力端子４２の図は、上記「センター／サブウーハ（赤）」５０に関連する赤色で表示される。
これによって、ユーザは、映像表示部８における端子接続ガイド６３の表示によって、上記信号経路が表示され、上記出力端子の接続がガイドされる。
図９は、実施形態に係わる音声信号出力装置の動作を説明するフローチャートである。
符号Ｓ１００はここでの開始ステップである。続いて、ステップＳ１０１に進む。
ステップＳ１０１は、音声信号出力装置１の電源をＯＮにするステップである。続いて、ステップＳ１０２に進む。
ステップＳ１０２は、例えばユーザがリモコン２１を操作し、音声出力の設定メニューを表示させるステップである。続いて、ステップＳ１０３に進む。
ステップＳ１０３は、上記のように、ユーザが所望の音声出力を設定するステップである。続いて、ステップＳ１０４に進む。
ステップＳ１０４は、設定された音声出力に応じ、例えば制御部１１が上記信号経路に係る内部回路のスイッチを切り替えるステップである。続いて、ステップＳ１０５に進む。
【００４８】
ステップＳ１０５は、上記切り替えられた内部回路に対応する端子接続を、映像表示部８に表示されるメニュー画面（設定メニュー４０）の表示に関連付けてガイド表示するステップである。続いて、ステップＳ１０６に進む。
【００４９】
ステップＳ１０６は、終了ステップであり、ここでの処理は終了する。
図１０は、実施形態に係わる音声信号出力装置における端子接続ガイドの表示例を示す図である。
上記のように、実施形態に係わる音声信号出力装置１においては、メニュー画面に表示された音声出力に係る色（例えば赤）に合わせ、ガイドする接続端子を同じ色（赤）のＬＥＤ等で発色し、ハイライト表示するように構成している。
【００５０】
また、実施形態に係わる音声信号出力装置１においては、接続端子が２つ以上ある場合は、２つ以上の色（例えば、黄色と青色）に分け、端子を識別可能な色（黄色と青色）のＬＥＤで発色し、ハイライト表示するように構成している。
【００５１】
また、実施形態に係わる音声信号出力装置１においては、接続端子のハイライトに加え、映像表示部８にガイドする信号経路を表示するように構成している。
また、実施形態に係わる音声信号出力装置１においては、接続端子のハイライトに加え、映像表示部８にガイドする信号経路に係るスピーカの接続状況を表示するように構成している。
【００５２】
また、実施形態に係わる音声信号出力装置１においては、信号経路の表示をアニメーションで表示するように構成している。
なお、上記説明においては、出力端子を識別表示する例としてＬＥＤを用いたが、この実施の形態においては、ＬＥＤに代え、出力端子の色を変化させることが可能な他の発光素子を用いることも可能である。
【００５３】
また、この実施の形態においては、上記説明したＬＥＤは多色ＬＥＤを使用し、モードに応じて発光色を切り替えるように構成することも可能である。
また、この実施の形態においては、ユーザへのガイドは上記視覚的な識別に加え、音響等を併用して聴覚的な識別を用いることも可能である。
上記のように構成することによって、この発明の実施の形態においては、出力端子の数を低減することが可能になる。
なお、上記実施形態は、記述そのものに限定されるものではなく、実施段階では、その趣旨を逸脱しない範囲で、構成要素を種々変形して具体化することが可能である。
【符号の説明】
【００５４】
１…音声信号出力装置、２…アンテナ、３…チューナ、４…信号処理部、５…映像処理部、６…音声処理部、７…表示装置、８…表示画面（映像表示部）、９…スピーカ（内蔵）、１０…バス、１１…制御部、１２…ＭＰＵ、１３…ＲＡＭ、１４…ＲＯＭ、１５…フラッシュメモリ、１６…記憶部、１７…内部記録装置、１８…外部インターフェース、１９…外部記録機器、２０…操作受信部、２１…操作機器（リモコン）、２２…送受信部（ネットワークインターフェース）、２５…放送局、２６…ネットワーク、２７…サーバ、３０…出力端子部、４０…設定メニュー、６０…端子接続ガイド（信号経路）、６１…端子接続ガイド（スピーカ）、６２…端子接続ガイド（信号経路）、６３…端子接続ガイド（信号経路）、９０…外部スピーカ、１０１…赤色光（ＬＥＤ）、１０２…黄色光（ＬＥＤ）、１０３…青色光（ＬＥＤ）。
【図１】
2012160915.tif 000003
【図２】
2012160915.tif 000004
【図３】
2012160915.tif 000005
【図４】
2012160915.tif 000006
【図５】
2012160915.tif 000007
【図６】
2012160915.tif 000008
【図７】
2012160915.tif 000009
【図８】
2012160915.tif 000010
【図９】
2012160915.tif 000011
【図１０】
2012160915.tif 000012